(57)【要約】【課題】うつ伏せ寝とともに、乳幼児の体温の異常、及び乳幼児の周囲の環境温度の異常を検知してＳＩＤＳの発生をさらに低減する。【解決手段】監視装置は、乳幼児を撮影して動画情報を取得する機能と、乳幼児の体温を検知する機能と、乳幼児の周囲の室温を検知する機能とを有する。動画情報を解析して乳幼児がうつ伏せであるとき異常と判定する第１判定回路、乳幼児の体温が第１の閾値を上回ったときに異常と判定する第２判定回路、室温が第２の閾値を上回ったときに異常と判定する第３判定回路のうち、いずれか１つで異常と判定された場合には緊急信号、第１、第２監視情報信号がコンピュータ装置、ＰＨＳに出力される。コンピュータ装置、ＰＨＳはそれぞれ警報音を出力し、監視情報信号を復調して監視情報を取得する。そして、監視情報に含まれた動画情報、体温情報、室温情報を基に乳幼児の動画を表示し、体温及び室温を数値で表示する。【選択図】図５
2008048819.tif 000002
【特許請求の範囲】
【請求項１】
監視対象として予め定められた人間を撮影して動画情報を取得する撮影手段と、
前記撮影手段によって取得された前記動画情報を解析して人間の頭部の向きを検知する向き検知手段と、
前記向き検知手段によって検知された人間の頭部の向きがうつ伏せであるときに異常と判定する第１の判定手段と、
人間に近接して配置された第１温度センサからの温度検知信号を基に人間の体温を検知する体温検知手段と、
前記体温検知手段によって検知された人間の体温が、予め定められた第１の閾値を上回っているときに異常と判定する第２の判定手段と、
人間の周囲に配置された第２温度センサからの温度検知信号を基に人間の周囲の環境温度を検知する温度検知手段と、
前記温度検知手段によって検知された前記環境温度が、予め定められた第２の閾値を上回っているときに異常と判定する第３の判定手段と、
前記第１〜第３の判定手段のうち、少なくともいずれか１つの判定手段によって異常と判定されたときに、緊急信号を出力する信号出力手段とを備えた監視装置と、
前記監視装置に接続され、前記監視装置から前記緊急信号が入力されたときに、警告を発する端末装置とを有することを特徴とする監視システム。
【請求項２】
前記信号出力手段は、前記第１〜第３の判定手段のうち、少なくともいずれか１つの判定手段によって異常と判定されたときに、前記動画情報と前記体温に関する体温情報と前記環境温度に関する環境温度情報とのうち少なくともいずれか１つを信号化して出力することを特徴とする請求項１記載の監視システム。
【請求項３】
前記信号出力手段は、医療機器に影響を及ぼさない程度の微弱電波からなる信号を出力することを特徴とする請求項１または２記載の監視システム。
【請求項４】
監視対象として予め定められた人間を撮影して動画情報を取得する撮影手段と、
前記撮影手段によって取得された前記動画情報を解析して人間の頭部の向きを検知する向き検知手段と、
前記向き検知手段によって検知された人間の頭部の向きがうつ伏せであるときに異常と判定する第１の判定手段と、
人間に近接して配置された第１温度センサからの温度検知信号を基に人間の体温情報を取得する体温検知手段と、
体温検知手段によって検知された人間の体温が、予め定められた第１の閾値を上回っているときに異常と判定する第２の判定手段と、
人間の周囲に配置された第２温度センサからの温度検知信号を基に人間の周囲の環境温度情報を取得する温度検知手段と、
前記温度検知手段によって検知された前記環境温度が、予め定められた第２の閾値を上回っているときに異常と判定する第３の判定手段と、
前記第１〜第３の判定手段のうち、少なくともいずれか１つの判定手段によって異常と判定されたときに、緊急信号を出力する信号出力手段とを備えたことを特徴とする監視装置。
【発明の詳細な説明】
【技術分野】
【０００１】
本発明は、うつ伏せ状態の人間を検知して知らせる監視システム及び監視装置に関するものである。
【背景技術】
【０００２】
近年、乳幼児が突然死亡してしまう乳幼児突然死症候群（以降、ＳＩＤＳという）が問題となっている。ＳＩＤＳは突然発生することが多く、うつ伏せ寝などが主な原因とされており、例えば、乳幼児が眠りにつき看護士が傍から離れたときに、乳幼児がうつ伏せ状態となって死亡してしまうことがあった。看護士などが常時乳幼児に付き添うことでうつ伏せ寝をより早期に発見し、これによってＳＩＤＳの発生を低減することはできるが、看護士に大きな負担を強いていた。
【０００３】
一方、乳幼児がうつ伏せ状態となったときに、これを知らせる検出装置が既に考案されている。例えば、特許文献１には、乳幼児の着衣の胸部や腹部などに接触検知センサを設け、接触検知センサからの検知信号を受けてアラームが作動して外部に音声などが出力される装置が示されており、これにより乳幼児がうつ伏せ状態となった場合には外部に危険を知らせる音声などが報知されるため、ＳＩＤＳを防止することが可能となっていた。また、特許文献２には、睡眠中の人物の動きに異常があるか否かを判断し、異常なときには外部に音声等を通報する装置が示されており、これを利用してＳＩＤＳと関係の深い睡眠時の動きの異常を知ることができた。
【特許文献１】特開２００５−３１２９０１号公報
【特許文献２】特開２００５−３０４９４２号公報
【発明の開示】
【発明が解決しようとする課題】
【０００４】
しかしながら、ＳＩＤＳを引き起こす原因はうつ伏せ寝だけではなく、うつ熱と呼ばれる高い体温となる症状も原因の１つと考えられており、乳幼児のうつ伏せ寝のみを検知して外部に知らせるだけではＳＩＤＳを完全に防ぐことはできない。
【０００５】
本発明は上記の事情に鑑みてなされたものであり、その目的は、うつ伏せ寝とともに、人間の体温の異常、及び人間の周囲の環境温度の異常を検知してＳＩＤＳの発生をさらに低減することにある。
【課題を解決するための手段】
【０００６】
上記の目的を達成するために、本発明の監視システムでは、監視対象として予め定められた人間を撮影して動画情報を取得する撮影手段と、撮影手段によって取得された動画情報を解析して人間の頭部の向きを検知する向き検知手段と、向き検知手段によって検知された人間の頭部の向きがうつ伏せであるときに異常と判定する第１の判定手段と、人間に近接して配置された第１温度センサからの温度検知信号を基に人間の体温を検知する体温検知手段と、体温検知手段によって検知された人間の体温が、予め定められた第１の閾値を上回っているときに異常と判定する第２の判定手段と、人間の周囲に配置された第２温度センサからの温度検知信号を基に人間の周囲の環境温度を検知する温度検知手段と、温度検知手段によって検知された前記環境温度が、予め定められた第２の閾値を上回っているときに異常と判定する第３の判定手段と、第１〜第３の判定手段のうち、少なくともいずれか１つの判定手段によって異常と判定されたときに、緊急信号を出力する信号出力手段とを備えた監視装置と、監視装置に接続され、監視装置から前記緊急信号が入力されたときに、警告を発する端末装置とを有することを特徴とする。
【０００７】
また、信号出力手段は、前記第１〜第３の判定手段のうち、少なくともいずれか１つの判定手段によって異常と判定されたときに、動画情報と体温に関する体温情報と環境温度に関する環境温度情報とのうち少なくともいずれか１つを信号化して出力することを特徴とする。
【０００８】
また、信号出力手段は、医療機器に影響を及ぼさない程度の微弱電波からなる信号を出力することを特徴とする。
【０００９】
また、本発明の監視装置では、監視対象として予め定められた人間を撮影して動画情報を取得する撮影手段と、撮影手段によって取得された前記動画情報を解析して人間の頭部の向きを検知する向き検知手段と、向き検知手段によって検知された人間の頭部の向きがうつ伏せであるときに異常と判定する第１の判定手段と、人間に近接して配置された第１温度センサからの温度検知信号を基に人間の体温情報を取得する体温検知手段と、体温検知手段によって検知された人間の体温が、予め定められた第１の閾値を上回っているときに異常と判定する第２の判定手段と、人間の周囲に配置された第２温度センサからの温度検知信号を基に人間の周囲の環境温度情報を取得する温度検知手段と、温度検知手段によって検知された環境温度が、予め定められた第２の閾値を上回っているときに異常と判定する第３の判定手段と、第１〜第３の判定手段のうち、少なくともいずれか１つの判定手段によって異常と判定されたときに、緊急信号を出力する信号出力手段とを備えたことを特徴とする。
【発明の効果】
【００１０】
本発明の監視システムによれば、監視対象として予め定められた人間がうつ伏せ状態となったときに第１判定手段によって異常と判定され、人間の体温が第１の閾値を上回ったときに第２判定手段によって異常と判定され、人間の周囲の環境温度が第２の閾値を上回ったときに第３判定手段によって異常と判定され、第１〜第３判定手段のうちいずれか１つで異常と判定された場合には緊急信号が監視装置から端末装置に出力され、監視装置がこれに応答して警告を発するため、人間のうつ伏せ寝とともに、人間の体温の異常、及び人間の周囲の環境温度の異常を検知してＳＩＤＳの発生をさらに低減することができる。
【００１１】
また、第１〜３判定装置のうちいずれかによって異常と判定された場合には動画情報と体温情報と環境温度情報とのうち少なくともいずれか１つが監視装置から端末装置に出力されるため、端末装置にて異常の詳細を知らせることが可能となる。
【００１２】
また、信号出力手段は、医療機器に影響を及ぼさない程度の微弱電波からなる信号を出力するため、病院内など医療機器を有する場所にて利用することが可能となり、利便性を高めることができる。
【００１３】
また、本発明の監視装置によれば、監視対象として予め定められた人間がうつ伏せ状態となったときに第１判定手段によって異常と判定され、人間の体温が第１の閾値を上回ったときに第２判定手段によって異常と判定され、人間の周囲の環境温度が第２の閾値を上回ったときに第３判定手段によって異常と判定されて緊急信号を出力するため、この緊急信号に応答して警告を発する監視システムの構築が可能となる。
【発明を実施するための最良の形態】
【００１４】
図１に示すように、監視システム２は監視装置４、端末装置であるコンピュータ装置５、端末装置であるＰＨＳ( Personal Handyphone System )７から構成され、例えば、病院内で用いられる。監視装置４は監視対象として予め定められた乳幼児が寝かされたベッド１０の脇に固定され、コンピュータ装置５は監視装置４から離れた場所に配置され、ＰＨＳ７は看護士や保護者などによって携帯されている。なお、Ｐは乳幼児を示す。
【００１５】
監視装置４はバンド１５と室温検知装置１６とを有し、バンド１５及び室温検知装置１６は接続ケーブル１７を介して監視装置４に接続されている。バンド１５は乳幼児の胸部に巻き付けられ、このバンド１５には乳幼児の体温を検知するための後述する第１温度センサが備えられている。第１温度センサからの出力信号は接続ケーブル１７を介して監視装置４に伝送される。室温検知装置１６は後述する第２温度センサを備え、第２温度センサからの出力信号は接続ケーブル１７を介して監視装置４に伝送される。
【００１６】
図２に示すように、監視装置４には、撮影レンズ１２のほか、ＣＣＤイメージセンサ２０、ＣＣＤドライバ２２、信号処理回路２４、ＣＰＵ２６、ＲＯＭ２８、ＳＤＲＡＭ３０、向き検知回路３２、圧縮処理回路３４、信号出力手段である第１無線通信インターフェース（以降、第１無線通信Ｉ／Ｆという）３６、信号出力手段である第２無線通信インターフェース（以降、第２無線通信Ｉ／Ｆという）３８、第１の判定手段である第１判定回路４０、第１温度センサ４２、第２の判定手段である第２判定回路４３、第２温度センサ４５、第３の判定手段である第３判定回路４７などが備えられている。
【００１７】
ＣＣＤイメージセンサ２０は、被写体光を電気的な画素信号に変換しており、ＣＣＤドライバから供給される駆動パルスによって駆動が制御されている。アナログ信号処理回路は、相関二重サンプリング回路、増幅回路、Ａ／Ｄ変換回路等から構成され、入力された撮像信号に対してノイズ除去や、増幅処理、欠陥画素の補完処理などを施し、さらにアナログの撮像信号をデジタル化してフレーム画像ごとの画像データを形成する。形成された複数の画像データからなる動画情報はＳＤＲＡＭに一時的に蓄積される
【００１８】
ＲＯＭ２８は、例えば不揮発性のフラッシュメモリで構成され、全体を管理するための制御プログラム、取得した動画に映った乳幼児の顔の向きを判断するための画像解析プログラム等を記憶している。
【００１９】
圧縮処理回路３４は外部に送信するために動画情報を圧縮処理しており、ＳＤＲＡＭ３０から動画情報を読み出して、例えばＭＰＥＧ−４規格に準拠した所定の圧縮方式に従って圧縮を施している。これにより動画情報の情報量を減らし、外部への動画情報の送信時の負担を減らしている。
【００２０】
向き検知回路３２は、ＲＯＭ２８に格納された画像解析プログラムを用いて乳幼児の顔の向きを検知している。ＳＤＲＡＭ３０から読み出された動画情報は複数のフレーム画像からなり、向き検知回路３２はそれぞれのフレーム画像について画像解析プログラムを用いて、例えば、目、鼻、口等の特徴的な領域を検出する。これらの特徴的な領域が検出された場合、乳幼児が仰向け、もしくは横向きであると判断される。さらに、所定の位置を基準として目、鼻、口の座標が計算され、目、鼻、口の相互の位置関係から仰向けか横向きかが判断される。また、目、鼻、口等の特徴的な領域が検出されない場合は、乳幼児がうつ伏せであると判断される。
【００２１】
第１判定回路４０は、向き検知回路３２で検知された乳幼児の頭部の向きを基に異常か否かを判定しており、向き検知回路３２によってうつ伏せと判断されたときに異常と判定し、仰向け及び横向きと判断されたときに正常と判定する。第１判定回路４０は、異常と判定したとき、ＣＰＵ２６に第１異常判定信号を出力する。
【００２２】
体温検知回路４８は、乳幼児の体温を検知している。乳幼児の胸部には、第１温度センサ４２が備えられたバンド１５が巻かれて第１温度センサ４２が乳幼児に近接した位置に配置されている。体温検知回路４８は、この第１温度センサ４２からの出力信号を基に乳幼児の体温を検知している。検知された体温は体温情報として体温検知回路４８から第２判定回路４３に伝送される。
【００２３】
第２判定回路４３は、体温検知回路４８からの体温情報を基に乳幼児の体温が異常か否かを判定しており、体温検知回路４８によって検知された乳幼児の体温が予め定められた第１の閾値を上回ったときに異常と判定し、第１の閾値以下のときに正常と判定する。第２判定回路４３は、異常と判定したとき、ＣＰＵ２６に第２異常判定信号を出力する。
【００２４】
室温検知回路４９は、乳幼児の周囲の環境温度である室温を検知している。ベッド脇には第２温度センサ４５が備えられ、室温検知回路４９は第２温度センサ４５からの出力信号を基に乳幼児の周囲の室温を検知している。検知された室温は室温情報として室温検知回路４９から第３判定回路４７に伝送される。
【００２５】
第３判定回路４７は、室温検知回路４９からの室温情報を基に乳幼児の周囲の室温が異常か否かを判定しており、室温検知回路４９によって検知された室温が予め定められた第２の閾値を上回ったときに異常と判定し、第２の閾値以下のときに正常と判定する。第３判定回路４７は、異常と判定したとき、ＣＰＵ２６に第３異常判定信号を出力する。
【００２６】
ＣＰＵ２６は、第１、第２、第３判定回路４０、４３、４７からの第１〜第３異常判定信号を基に、第１、第２、第３判定回路４０、４３、４７のうち少なくともいずれか１つで異常と判定されたとき、第１、第２無線通信Ｉ／Ｆ３６、３８に緊急信号及び監視情報の送信コマンドを伝送し緊急信号及び信号化された監視情報を送信させる。監視情報は、動画情報、乳幼児の体温情報、室温情報とを含み、コンピュータ装置５やＰＨＳ７ではこの監視情報を基に、乳幼児の動画や、乳幼児の体温、乳幼児の周囲の室温を表示することが可能となる。また、向き検知回路３２で横向きと判断された場合には、第１、第２無線通信Ｉ／Ｆ３６、３８に注意コマンドを伝送して注意信号を送信させる。
【００２７】
第１無線通信Ｉ／Ｆ３６は、ＩＥＥＥ８０２．１１ａの通信規格に従ってコンピュータ装置５と無線回線で通信することが可能となっており、データの伝送速度は，例えば、最大で５４Ｍｂｐｓであり、電波出力は約１０ｍＷに抑えられている。第１無線通信Ｉ／Ｆ３６は、ＣＰＵ２６からの送信コマンドを受け、監視情報を第１監視情報信号に変調してコンピュータ装置５側に送信する。また、第１無線通信Ｉ／Ｆ３６は、ＣＰＵ２６からの注意コマンドを受けて注意信号を送信する。
【００２８】
第２無線通信Ｉ／Ｆ３８は、ＰＨＳ７で一般的に利用されるＴＤＭＡ（時分割多元接続）方式に従ってＰＨＳ７と無線回線で通信を行うことが可能となっており、ＰＨＳ７とデータのやり取りを行っている。データの伝送速度は、例えば、最大で１２８ｋｂｐｓであり、通信時、アンテナ３９からは平均で１０ｍＷ程度の微弱な電波が放出される。第２無線通信Ｉ／Ｆ３８は、ＣＰＵ２６からの送信コマンドを受け、監視情報を第２監視情報信号に変調してＰＨＳ７側に送信する。また、第２無線通信Ｉ／Ｆ３８は、ＣＰＵ２６からの注意コマンドを受けて注意信号を送信する。
【００２９】
図３に示すように、コンピュータ装置５は、中央演算部５０、ＲＡＭ５２、ハードディスク５４、表示制御部５６、表示画面５８、音声制御部６０、無線通信Ｉ／Ｆ６２、入力インターフェース（以降、入力Ｉ／Ｆという）６５などが備えられている。
【００３０】
ハードディスク５４にはコンピュータ装置５を起動させるためのオペレーティングプログラム、各種アプリケーションプログラム等のデータが記憶され、中央演算部５０はこれらオペレーティングプログラムやアプリケーションプログラムを参照して各種動作を実行する。
【００３１】
入力Ｉ／Ｆ６５は、キーボード６７やマウス６８が操作された際、これに応答して中央演算部５０に操作信号を出力する。ＲＡＭ５２はデータを一時的に記憶して、コンピュータ装置５の動作を円滑にしている。
【００３２】
無線通信Ｉ／Ｆ６２は、ＩＥＥＥ８０２．１１ａの通信規格に従って電波信号を送受信し、監視装置４の第１無線通信Ｉ／Ｆ３６とネットワークを形成している。無線通信Ｉ／Ｆ６２は、第１無線通信Ｉ／Ｆ３６からの緊急信号を受信し、さらに第１監視情報信号を復調して監視情報を取得し、取得された監視情報はＲＡＭ５２を介して表示制御部５６に転送される。なお、この実施形態では、無線通信Ｉ／Ｆ６２は、監視装置４の第１無線通信Ｉ／Ｆ３６との間でＩＥＥＥ８０２．１１ａの通信規格に基づいて通信を実行していたが、通信規格はこれに限らず、ＩＥＥＥ８０２．１１ｂなどでもよい。
【００３３】
表示制御部５６は表示画面５８の駆動を制御しており、監視情報に含まれる動画情報を基に、例えば秒間２フレームで表示画面５８に動画を表示する。また、体温情報を基に乳幼児の体温を数値として表示し、室温情報をもとに乳幼児の周囲の室温を数値として表示する。
【００３４】
音声制御部６０はスピーカ７０の駆動を制御しており、緊急信号の入力時に警報音を外部に出力する。これによって看護士や保護者の注意を喚起し、表示画面５８に表示された動画、体温、室温から乳幼児の状態の概要を把握させることができる。警報音は後述する解除操作が実行されるまで継続される。また、音声制御装置６０は、注意信号を受信したとき、例えば、出力期間が限られた注意音をスピーカ７０に出力させる。
【００３５】
監視情報を基に異常の報知が実行された後、キーボード６７やマウス６８を介して、警報音を中止させるための解除操作が実行されたときは、スピーカ７０からの警報の出力が停止する。
【００３６】
図４に示すように、ＰＨＳ７は、ＣＰＵ７２、ＲＯＭ７４、ＳＤＲＡＭ７５、ボイス回路７７、ＬＣＤドライバ７９、モータコントローラ８０、スピーカ制御回路８２、無線通信Ｉ／Ｆ８４等を備えている。
【００３７】
ＣＰＵ７２は、ＲＯＭ７４に格納された制御プログラムを基にしてＰＨＳ７全体の動作を統括している。ボイス回路７７は受話スピーカ８５及び送話マイク８６の駆動を制御しており、送話マイク８６からの音声信号を基に音声データを形成し、アンテナ８８からの音声データをもとに受話スピーカ８５を駆動させて通話相手のボイスを出力させる。
【００３８】
無線通信Ｉ／Ｆ８４及びアンテナ８８は監視装置４の第２無線通信Ｉ／Ｆ３８とＴＤＭＡ方式で通信を行っており、無線通信Ｉ／Ｆ８４はアンテナ８８を介して緊急信号及び第２監視情報信号を受信し、さらに第２監視情報信号を復調して監視情報を取得する。無線通信Ｉ／Ｆ８４で取得された監視情報に含まれた動画情報，体温情報、室温情報はＣＰＵ７２やＬＣＤドライバ７９に転送される。なお、この実施形態では、無線通信Ｉ／Ｆ８４は、監視装置４の第２無線通信Ｉ／Ｆ３８との間で１２８ｋｂｐｓの通信速度で通信を実行していたが、通信速度はこれに限らず、６４ｋｂｐｓなどでもよい。
【００３９】
ＬＣＤドライバ７９はＬＣＤ９０の駆動を制御しており、動画情報を基に、例えば秒間２フレームの動画をＬＣＤ９０に表示させ、さらに、乳幼児の体温や乳幼児の周囲の室温を数値としてＬＣＤ９０に表示させる。
【００４０】
スピーカ制御回路８２はスピーカ９２の駆動を制御しており、無線通信Ｉ／Ｆ８４によって監視情報が取得されたときにはスピーカ９２を駆動させて警報音を外部に出力させる。また、モータコントローラ８０はバイブレーションを発生させるモータ９４の駆動を制御しており、スピーカ９２がミュート状態に設定されているときには、無線通信Ｉ／Ｆ８４によって監視情報が取得されたときにモータ９４を駆動させてＰＨＳ７を振動させる。これら警報音の出力やモータの駆動は後述する解除操作が実行されるまで継続される。また、スピーカ制御装置８２は、注意信号を受信したとき、例えば、出力期間が限られた注意音をスピーカ９２に出力させる。
【００４１】
操作部９５の操作はＣＰＵ７２によって検知されており、監視情報を基に異常の報知が実行された後、操作部９５を介してスピーカ９２の駆動やモータ９４の駆動を停止させるための解除操作が実行されたときは、スピーカ９２の駆動や、モータ９４の駆動が停止し、この結果、警報音が止み、ＰＨＳ７の振動が止まる。
【００４２】
次に本発明の作用について図５のフローチャートを用いて説明する。監視装置４は、乳幼児が寝かされたベッド１０の端に設置され、乳幼児を撮影する機能、乳幼児の体温を検知する機能、乳幼児の周囲の室温を検知する機能とを備えている。撮影装置４にはＣＣＤイメージセンサ２０が備えられ、ＣＣＤイメージセンサ２０からの画像信号が処理されて所定の形式の動画情報が形成される。形成された動画情報は向き検知回路３２にて画像解析プログラムを用いて解析され、これにより乳幼児の頭部の向きが検知される。解析の結果、乳幼児の頭部の向きがうつ伏せの場合には、第１判定回路４０によって異常と判定される。
【００４３】
ベッド１０に寝かされた乳幼児の胸部にはバンド１５が巻き付けられ、バンド１５には第１温度センサ４２が備えられている。第１温度センサ４２からの出力信号を基に体温検知回路４８で検知された体温が、第２判定回路４３にて予め定められた第１の閾値を上回るか否かが判定され、上回った場合には異常と判定される。
【００４４】
監視装置４は、室温検知回路４９によって室温検知装置１６に備えられた第２温度センサ４５からの出力信号を基に乳幼児の周囲の室温が検知され、この室温検知回路４９によって検知された温度が予め定められた第２の閾値を上回るか否かが第３判定回路４７によって判定され、検知された室温が第２の閾値を上回った場合には異常と判定される。
【００４５】
第１、第２、第３判定回路４０、４３、４７のうちいずれかで異常と判定された場合、第１無線通信Ｉ／Ｆ３６及び第２無線通信Ｉ／Ｆ３８を介して緊急信号及び第１、第２監視情報信号がコンピュータ装置５及びＰＨＳ７に出力される。
【００４６】
コンピュータ装置５は、監視装置４からの緊急信号を受信し、第１監視情報信号を復調して監視情報を取得する。緊急信号の受信に応答してスピーカ７０から警報音が出力され、監視情報に含まれた動画情報、体温情報、室温情報を基に、表示画面５８に乳幼児の動画が表示され、体温、乳幼児の周囲の室温が数値で表示される。また、ＰＨＳ７は、監視装置４からの緊急信号を受信し、第２監視情報信号復調して監視情報を取得する。緊急信号の受信に応答してスピーカ９２から警報音が出力され、監視情報に含まれた動画情報、体温情報、室温情報を基に、ＬＣＤ９０に乳幼児の動画が表示され、体温、乳幼児の周囲の室温が数値として表示される。
【００４７】
以上のように、第１、第２、第３判定回路４０、４３、４７で異常と判定されたとき、コンピュータ装置５から警報音が出力され、表示画面５８に乳幼児の動画及び体温、乳幼児の周囲の室温が表示されることにより、コンピュータ装置５の近くにいた看護士や保護者は異常に気付きやすく、表示画面５８に表示された内容から乳幼児の状態を早期に把握できる可能性が高まる。また、第１、第２、第３判定回路４０、４３、４７で異常と判定されたとき、ＰＨＳ７から警報音が出力され、ＬＣＤ９０に乳幼児の動画及び体温、乳幼児の周囲の室温が表示されることにより、ＰＨＳ７を携帯したものは病院内のどこでも乳幼児の状態を知ることが可能となり、より早期に乳幼児のもとへ駆け付けて処置することができる。また、監視装置４とＰＨＳ７とは医療機器に影響が出にくい出力レベルの電波を用いて通信しており、医療機器に誤作動を引き起こさせる危険性を低減しながら利便性を高めている。
【００４８】
なお、上記の実施形態では、監視装置４とコンピュータ装置５とは無線回線を介して通信を行ったが、監視装置とコンピュータ装置との通信方法はこれに限らず、有線通信回線を介して通信を行ってもよい。例えば、監視装置とコンピュータ装置とを通信ケーブルで接続し、常時接続を確立させておくことにより、監視情報の伝達に要する期間の短縮化や確実な情報伝達が期待でき、より早期での乳幼児の手当てが期待できる。
【００４９】
また、上記の実施形態ではＰＨＳ７を使用したが、本発明の監視システムを家庭内などで利用する場合などでは、ＰＨＳに比べて電波出力が大きな携帯電話を使用することもできる。家庭内では病院内に比べて携帯電話から出力される電波によって人命に影響がでる危険性が小さく、このため携帯電話の利用は十分に可能となる。
【００５０】
また、上記の実施形態では、第１、第２、第３判定手段４０、４３、４７のうちいずれか１つで異常と判定された場合に、コンピュータ装置５及びＰＨＳ７で動画を表示し、乳幼児の体温と室温とを数値で表示したが、異常と判定された内容に関する情報のみを出力してもよい。例えば、第１判定回路で異常と判定された場合には動画情報を送信し、第２判定回路で異常と判定された場合には体温情報を送信する。このようにすることで異常と判定された項目、及びその項目の詳細について簡単に知ることができ、利便性が高まる。
【００５１】
また、上記の実施形態では乳幼児を監視したが、本発明はこれに限らず、例えば、体の不自由な老人を監視してもよい。
【図面の簡単な説明】
【００５２】
【図１】本発明の監視システムを概略的に示した全体図である。
【図２】監視装置の電気的な構成を概略的に示したブロック図である。
【図３】コンピュータ装置の電気的な構成を概略的に示したブロック図である。
【図４】ＰＨＳの電気的な構成を概略的に示したブロック図である。
【図５】本発明の作用について示したフローチャートである。
【符号の説明】
【００５３】
２  監視システム
４  監視装置
５  コンピュータ装置（端末装置）
７  ＰＨＳ（端末装置）
２０  ＣＣＤイメージセンサ
２４  信号処理回路
２６  ＣＰＵ
３２  向き検知回路（向き検知手段）
３６  第１無線通信Ｉ／Ｆ（信号出力手段）
３８  第２無線通信Ｉ／Ｆ（信号出力手段）
４０  第１判定回路（第１判定手段）
４２  第１温度センサ
４３  第２判定回路（第２判定手段）
４５  第２温度センサ
４７  第３判定回路（第３判定手段）
４８  体温検知回路（体温検知手段）
４９  室温検知回路（温度検知手段）
５８  表示画面
６２  無線通信Ｉ／Ｆ
７０  スピーカ
８４  無線通信Ｉ／Ｆ
９０  ＬＣＤ
９２  スピーカ
【図１】
2008048819.tif 000003
【図２】
2008048819.tif 000004
【図３】
2008048819.tif 000005
【図４】
2008048819.tif 000006
【図５】
2008048819.tif 000007